(57)【要約】【課題】ドレープ装着に関する患者の負担を軽減する。【解決手段】ドレープは、シート部１で患者の顔面の下方部分を覆い、左右の耳掛部２の端部の輪を、患者の左右の耳にそれぞれ掛け回すことにより患者に装着する。そして、このようにドレープを装着した状態において、シート部１に設けた孔３から、患者の口腔が当該口腔周辺がシート部１によって覆われた形態で露出すると共に、シート部１によって、患者の両眼が覆われることのないように、シート部１や耳掛部２や孔３の形状、大きさ、配置は定められている。【選択図】図１
2007215849.tif 000002
【特許請求の範囲】
【請求項１】
歯科施術の際に患者に装着する歯科施術用ドレープであって、
患者の口腔を露出させるための孔または当該孔を形成するためのミシン線を有するシート部と、
前記孔から患者の口腔が露出するように前記シート部で前記患者の顔の少なくとも一部を覆った状態で、前記患者の両耳に掛けて、前記シート部を前記患者に対して固定するための、前記シート部に連結された耳掛部とを有することを特徴とする歯科施術用ドレープ。
【請求項２】
請求項１記載の歯科施術用ドレープであって、
前記シート部は、当該歯科施術用ドレープが前記耳掛部によって前記患者に対して固定された状態において、前記患者の目を覆わないことを特徴とする歯科施術用ドレープ。
【請求項３】
請求項１記載の歯科施術用ドレープであって、
前記シート部に固定された透明な窓部を有し、
前記窓部は、当該歯科施術用ドレープが前記耳掛部によって前記患者に対して固定された状態において、前記患者の目を覆うことを特徴とする歯科施術用ドレープ。
【請求項４】
請求項１記載の歯科施術用ドレープであって、
前記患者に装着する、前記シート部に連結した眼鏡を有し、
前記耳掛部は前記眼鏡によって形成されることを特徴とする歯科施術用ドレープ。
【発明の詳細な説明】
【技術分野】
【０００１】
本発明は、歯科施術に適した患者用のドレープに関するものである。
【背景技術】
【０００２】
手術などに際して用いられる患者用のドレープ（覆布）としては、患者の施術部位を露出させるための孔と、当該孔周辺において患者皮膚に接着するための接着層とを備えた、当該施術部位周辺を覆う布状のドレープが知られている。
ドレープとしては、
【特許文献１】特開2005-204780号公報
【発明の開示】
【発明が解決しようとする課題】
【０００３】
さて、前述したようなドレープを歯科施術に適用する場合、患者の顔全体を覆うドレープを、口腔部分に孔を位置させた上で患者の顔に接着層で接着して使用することが一般的である。
しかしながら、歯科施術では、患者に対して部分麻酔を施して施術を行う場合が多く、このように部分麻酔のみを施している場合に、接着層を顔に接着してドレープを患者に固定することは患者の不快感を招くものである。また、視界を完全にドレープで遮ぎってしまうために、患者の不安を招くと共に、施術中の医師と患者との間のアイコンタクトによるコミュニケーションを行えなくしてしまうことになる。
【０００４】
また、このように部分麻酔のみを施して行う施術の途中で、施術の状態を確認するために、患者にＸ線室に移動してもらいＸ線撮影などを行う場合があり、このような場合には、移動の度に、ドレープの取り外しと再装着という煩雑な作業を行う必要が生じる。
すなわち、このように、従来のドレープは、歯科施術に適用する場合、ドレープ使用に際して患者与える負担が比較的大きい。
そこで、本発明は、より患者に与える負担を軽減することができる歯科施術用ドレープを提供することを課題とする
【課題を解決するための手段】
【０００５】
前記課題達成のために、本発明は、歯科施術の際に患者に装着する歯科施術用ドレープを、患者の口腔を露出させるための孔または当該孔を形成するためのミシン線を有するシート部と、前記孔から患者の口腔が露出するように前記シート部で前記患者の顔の少なくとも一部を覆った状態で、前記患者の両耳に掛けて、前記シート部を前記患者に対して固定するための、前記シート部に連結された耳掛部とを含めて構成したものである。
【０００６】
このような歯科施術用ドレープによれば、耳掛部を患者の耳に掛けることにより、患者の顔の少なくとも一部を覆うシート部を患者に固定するので、接着によってドレープを固定する場合のような不快感を患者に与えることがない。また、より安定的に歯科施術用ドレープを患者に装着することができるようになるので、歯科施術用ドレープを装着したまま施術中の移動を行うことができるようになる。したがって、移動の度に、歯科施術用ドレープの取り外しや再装着などの煩雑な作業を行う必要がなくなる。
【０００７】
ここで、以上のような歯科施術用ドレープは、当該歯科施術用ドレープが前記耳掛部によって前記患者に対して固定された状態において、前記シート部が、前記患者の目を覆わないようにすることが好ましい。
このようにすることにより、施術中においても患者の視界を確保して、周囲状況把握ができないことにより生じる患者の不安を軽減するとできる。また、施術中においても、医師と患者との間のアイコンタクトによるコミュニケーションが可能となる。
または、以上のような歯科施術用ドレープは、前記シート部に固定された透明な窓部を設け、前記窓部が、当該歯科施術用ドレープが前記耳掛部によって前記患者に対して固定された状態において、前記患者の目を覆うようにしてもよい。または、以上のような歯科施術用ドレープは、前記患者に装着する、前記シート部に連結した眼鏡を設けると共に、前記耳掛部を前記眼鏡によって形成するようにしてもよい。
【０００８】
これらのようにすることにより、患者の目やその周辺部を保護しつつ、施術中における患者の視界を確保することができるようになる。
【発明の効果】
【０００９】
以上のように、本発明によれば、より患者に与える負担を軽減することができる歯科施術用ドレープを提供することができる。
【発明を実施するための最良の形態】
【００１０】
以下、本発明の実施形態について説明する。
まず、第１の実施形態について説明する。
図１ａに、本第１実施形態に係るドレープの構成を示す。
図示するように、本第１実施形態に係るドレープは、不織布を用いて形成したシート状のシート部１と、シート部１に連結された二つの耳掛部２とより構成される。
ここで、シート部１には、患者の口腔を露出させるための孔３が形成されている。また、耳掛部２は、シート部１の左右上部にそれぞれ一つづつ連結されている。また、各耳掛部２は、その端部に輪が設けられた耳紐となっており、ゴム紐など望ましくは弾性のある紐状体を用いて形成される。また、各耳掛部２は、それぞれ、耳に掛け回すことができる。
【００１１】
ここで、図１ｂに、このドレープを患者に装着したようすを示す。
図示するように、本ドレープは、シート部１で患者の顔面の下方部分を覆い、左右の耳掛部２の端部の輪を、患者の左右の耳にそれぞれ掛け回すことにより、患者に、ちょうどガーゼマスクのように装着する。そして、このようにドレープを装着した状態において、シート部１に設けた孔３から、患者の口腔が当該口腔周辺がシート部１によって覆われた形態で露出すると共に、シート部１によって、患者の両眼が覆われることのないように、シート部１や耳掛部２や孔３の形状、大きさ、配置は定められている。
【００１２】
以上、本発明の第１実施形態に係るドレープについて説明した。
ところで、本第１実施形態に係るドレープは、図１ｃ１、ｃ２に示すように構成するようにしてもよい。
ここで、図１ｃ１はドレープの正面図を、図１ｃ２はドレープの側面図を表している。
図示するように、このドレープでは、孔３に代えて、図１ｃ３の正面図に示すように切り取って孔３を形成するためのミシン線４がシート部１に設けられている。また、シート部１を形成する不織布を用いて形成した左右の耳部５と、耳部５の先端に接着した接着シート６が設けられており、図１ｃ３の正面図及び図１ｃ４の側面図に示すように、この耳部５の端部を接着シート６を用いて輪状にすることにより、耳掛部２が形成される。
【００１３】
以上のように本第１実施形態に係るドレープによれば、耳掛部２を患者の耳に掛けることにより、シート部１を患者に固定するので、接着によってドレープを固定する場合のような不快感を患者に与えることがない。また、より安定的にドレープを患者に装着することができるようになるので、ドレープを装着したまま施術中の移動を行うことができるようになる。したがって、移動の度に、ドレープ取り外しや再装着などの煩雑な作業を行う必要がなくなる。また、装着時において患者の両目を覆わないので、施術中においても患者の視界を確保して、周囲状況把握ができないことにより生じる患者の不安を軽減するとできる。また、施術中においても、医師と患者との間のアイコンタクトによるコミュニケーションが可能となる。
【００１４】
以下、本発明の第２の実施形態について説明する。
図２ａに、本第２実施形態に係るドレープの構成を示す。
図示するように、本第２実施形態に係るドレープは、先に図１ａ、ｂに示した前記第１実施形態に係るドレープのシート部１を上方に延長して当該延長部分に窓孔を設けるともに、当該窓孔を塞ぐように透明シートを接着して透明な窓部７を形成したものである。
ここで、この窓部７は、図２ｂに示すように、左右の耳掛部２の端部の輪を、患者の左右の耳にそれぞれ掛け回すことによりドレープを患者に装着した状態において、患者の両眼を覆うように、その形状、大きさ、配置は定められている。
以上、本発明の第２実施形態に係るドレープについて説明した。
ところで、本第２実施形態に係るドレープは、図２ｃに示すように構成するようにしてもよい。
すなわち、先に図１ａ、ｂに示した前記第１実施形態に係るドレープのシート部１と、耳に掛けるつるを備えた保護眼鏡（ゴーグル）８とを、紐９で連結したものである。
ここで、保護眼鏡８を患者に装着した状態において、シート部１に設けた孔３から、患者の口腔が当該口腔周辺がシート部１によって覆われた形態で露出するように、シート部１や、紐９や孔３の形状、大きさ、配置は定められている。
【００１５】
以上のように、本第２実施形態によれば、前記第１実施形態の効果に加え、ドレープによって患者の目やその周辺部を保護することができる効果を奏する。
【図面の簡単な説明】
【００１６】
【図１】本発明の第１実施形態に係る実施形態に係るドレープを示す図である。
【図２】本発明の第２実施形態に係る実施形態に係るドレープを示す図である。
【符号の説明】
【００１７】
１…シート部、２…耳掛部、３…孔、４…ミシン線、５…耳部、６…接着シート、７…窓部、８…保護眼鏡、９…紐。
【図１】
2007215849.tif 000003
【図２】
2007215849.tif 000004